(57)【要約】【課題】  パッシブラジエーターを備えるスピーカー装置において、スピーカーユニットを含む装置全体の不要振動を抑制することができるスピーカー装置を提供する。【解決手段】  少なくとも１つのスピーカーユニットと、少なくとも２つのパッシブラジエーターと、を筐体に備え、スピーカーユニットとパッシブラジエーターは、パッシブラジエーターのそれぞれが備える振動板の振動方向とスピーカーユニットの振動板の振動方向が交差するように、配置されている、スピーカー装置による。【選択図】図６
2015204539.tif 000002
【特許請求の範囲】
【請求項１】
少なくとも１つのスピーカーユニットと、少なくとも２つのパッシブラジエーターと、を筐体に備えるスピーカー装置であって、
前記スピーカーユニットと前記パッシブラジエーターは、
前記パッシブラジエーターのそれぞれが備える振動板の振動方向と前記スピーカーユニットの振動板の振動方向が交差するように、配置されている、
ことを特徴とするスピーカー装置。
【請求項２】
前記パッシブラジエーターの振動板は、前記スピーカーユニットの振動板の振動方向に対する平行方向のエネルギー成分と交差する方向のエネルギー成分によって、振動される、
請求項１記載のスピーカー装置。
【請求項３】
前記パッシブラジエーターの振動板の振動方向は、前記スピーカーユニットの振動板の振動方向と所定の角度で交差し、
前記パッシブラジエーターは、振動板が前記筐体から外側に向いている、
請求項１または２記載のスピーカー装置。
【請求項４】
前記スピーカーユニットのエネルギーと前記パッシブラジエーターのエネルギーは、以下の条件式を満たす、
請求項１乃至３のいずれかに記載のスピーカー装置。
（条件式）
Ｐａ＝Ｐｂ１・ｃｏｓ（θ１）＋Ｐｂ２・ｃｏｓ（θ２）
Ｐｂ１・ｓｉｎ（θ１）＝Ｐｂ２・ｓｉｎ（θ２）
但し、
Ｐａは、前記スピーカーユニットの振動板のエネルギー、
Ｐｂ１は、２つのパッシブラジエーターのうちの１のパッシブラジエーターの振動板を振動させるエネルギーであって、スピーカーユニットの振動板の振動方向に対し、平行方向のエネルギー成分と交差する方向のエネルギー成分とを合成したエネルギー、
Ｐｂ２は、２つのパッシブラジエーターのうちの他のパッシブラジエーターの振動板を振動させるエネルギーであって、スピーカーユニットの振動板の振動方向に対し、平行方向のエネルギー成分と交差する方向のエネルギー成分とを合成したエネルギー、
θ１は、前記１のパッシブラジエーターの振動板の振動方向の中心線と前記スピーカーユニットの振動板の振動方向の中心線がなす角度、
θ２は、前記他のパッシブラジエーターの振動板の振動方向の中心線と前記スピーカーユニットの振動板の振動方向の中心線がなす角度、
である。
【請求項５】
前記筐体は、複数の壁面を有してなり、
前記スピーカーユニットと前記パッシブラジエーターのそれぞれは、前記壁面のうち、互いに異なる壁面に配置される、
請求項１乃至４のいずれかに記載のスピーカー装置。
【請求項６】
前記スピーカーユニットの中心線と前記パッシブラジエーターの中心線は、同一の平面上にあり、上記平面は、前記筐体を水平面上に設置したとき水平面に対して傾斜する、
請求項１乃至５のいずれかに記載のスピーカー装置。
【発明の詳細な説明】
【技術分野】
【０００１】
本発明は、パッシブラジエーターを備える小型のスピーカー装置に関するものである。
【背景技術】
【０００２】
小型のスピーカー装置における低音域の再現性や音質を向上させるものとして、パッシブラジエーターが知られている。パッシブラジエーターは、スピーカーユニットが装着されている筐体に装着される。パッシブラジエーターは、スピーカーユニットから駆動系である磁気回路などを取り除いて、主にフレームと振動板を備えた構造からなる。パッシブラジエーターは、スピーカーユニットの動作に応じて動作する。
【０００３】
スピーカーユニットは、磁気回路等により構成される駆動系に入力された信号に応じて、振動板が所定の方向に駆動されて振動する。パッシブラジエーターは、スピーカーユニットの振動板の振動により生ずるエネルギーに応じて、振動板が駆動されて振動する。すなわち、スピーカーユニットの振動板の振動によって生じた音波が、パッシブラジエーターの振動板に伝搬して、当該振動板を駆動させるエネルギーになる。したがって、スピーカーユニットの振動板の振動に応じてパッシブラジエーターの振動板は振動する。
【０００４】
言い換えると、パッシブラジエーターは、スピーカーユニットの出力に応じて駆動される。パッシブラジエーターの振動板が駆動されて、当該振動板が振動すると、主に低音域の音が強調される。これによって、低音域の再現性と音質の向上を図ることができる。
【０００５】
パッシブラジエーターによる効果を高めるには、パッシブラジエーターの振動板の有効振動面積を大きくすればよい。しかし、パッシブラジエーターの寸法を大きくすれば、振動板の有効振動面積も大きくなるので、スピーカー装置の筐体が大きくなる。したがって、パッシブラジエーターの振動板を大きくすると、スピーカー装置の小型化に反する。
【０００６】
また、パッシブラジエーターの振動板を大きくした場合、これを駆動するために要するエネルギーも大きくなる。そのためには、スピーカーユニットの出力を大きくしなければならない。
【０００７】
スピーカー装置を小型にし、パッシブラジエーターの有効振動面積を大きくする方法として、複数のパッシブラジエーターを用いる方法がある。ところが、パッシブラジエーターの数を増やすと、パッシブラジエーターの振動板の振動による不要振動が、数に比例して大きくなる。不要振動は、音質の低下を招くので抑制しなければならない。複数のパッシブラジエーターを備えるスピーカー装置において、パッシブラジエーターを対向して配置させることで、不要振動を抑制するものが知られている（例えば、特許文献１を参照）。
【０００８】
特許文献１のスピーカー装置は、複数のパッシブラジエーターを同軸上に配置し、互いに対向させている。このようにパッシブラジエーターを配置することで、一方のパッシブラジエーターが他方のパッシブラジエーターの音響負荷として作用する。この作用により、特許文献１のスピーカー装置は、パッシブラジエーターの不要振動を抑制し、低域再生時の過大入力による過大振幅を防止する。また、パッシブラジエーターの振動板の分割振動を抑制する。
【先行技術文献】
【特許文献】
【０００９】
【特許文献１】特許第４４６８３６４号明細書
【発明の概要】
【発明が解決しようとする課題】
【００１０】
特許文献１のスピーカー装置のように、複数のパッシブラジエーターを備える場合は、パッシブラジエーターの動作に要するエネルギーが大きくなる。このエネルギーを大きくするには、スピーカーユニットへの入力を大きくして、スピーカーユニットの振動板の駆動力を大きくしなければならない。ところが、スピーカーユニットの駆動力を大きくすると、スピーカー装置の筐体全体における不要振動が生じやすくなる。特許文献１のスピーカー装置のようにパッシブラジエーターを配置しても、筐体全体で発生する不要振動を抑制することはできない。
【００１１】
特許文献１のスピーカー装置において筐体全体の不要振動を抑制するには、筐体の強度を強くして、重量を重くすればよい。すなわち、筐体を補強すればよい。しかし、筐体を補強すると、スピーカー装置の構造上の制約が大きくなり、製造コストも上昇する。
【００１２】
また、特許文献１のスピーカー装置のように２つのパッシブラジエーターを対向配置させると、スピーカー装置の筐体内部に平行面を創ることになる。平行面は、定在波を発生させる要因になる。定在波は、音響的に悪影響を及ぼす。したがって、スピーカー装置の筐体は、内部で定在波を生じさせない構造が望ましい。
【課題を解決するための手段】
【００１３】
本発明は、上記の課題に鑑みたものであって、パッシブラジエーターを備えるスピーカー装置において、スピーカーユニットを含む装置全体の不要振動を抑制することができるスピーカー装置を提供することを目的とする。
【００１４】
本発明は、少なくとも１つのスピーカーユニットと、少なくとも２つのパッシブラジエーターと、を筐体に備えるスピーカー装置であって、前記スピーカーユニットと前記パッシブラジエーターは、前記パッシブラジエーターのそれぞれが備える振動板の振動方向と前記スピーカーユニットの振動板の振動方向が交差するように、配置されている、ことを主要な特徴とする。
【発明の効果】
【００１５】
本発明によれば、スピーカーユニットを含む装置全体の不要振動を抑制することができるスピーカー装置を提供することができる。
【図面の簡単な説明】
【００１６】
【図１】本発明に係るスピーカー装置の実施例を示す正面図である。
【図２】上記スピーカー装置の実施例を示す天面図である。
【図３】上記スピーカー装置の実施例を示す背面図である。
【図４】上記スピーカー装置の実施例を示す側面図である。
【図５】図１におけるＢ−Ｂ線断面図である
【図６】図４におけるＡ−Ａ線断面図である。
【図７】本発明に係るスピーカー装置の別の実施例を示す天面図である。
【発明を実施するための形態】
【００１７】
以下、本発明に係るスピーカー装置の実施例について、図面を参照しながら説明する。図１乃至図４は、本実施例に係るスピーカー装置１００の全体形状を示す図である。図１は、スピーカー装置１００の正面図である。スピーカー装置１００は、筐体１０の一部である正面１１に形成されている開口部には、スピーカーユニット１が固定されている。正面１１の開口部は、正面１１の高さ方向中央部のやや上方に形成されている。
【００１８】
スピーカーユニット１は、いわゆるアクティブスピーカーを前提として説明する。アクティブスピーカーは、入力信号を増幅するための増幅回路を内蔵するものである。なお、スピーカーユニット１はアクティブスピーカーに限られることはなく、増幅器を内蔵しないもの（いわゆるパッシブスピーカー）であってもよい。
【００１９】
スピーカーユニット１のいわゆる駆動系を構成する振動板は、入力される電気信号に応じて動作する。
【００２０】
スピーカー装置１００は、床や机上に設置して使用されることが多い。そこで、スピーカーユニット１の配置を正面１１の上方に偏らせることで、使用状態に、スピーカーユニット１が使用者の耳方向に向くようになることを意図している。なお、スピーカー装置１００におけるスピーカーユニット１の配置は、これに限られるものではない。スピーカーユニット１は、筐体１０の正面１１の中央付近に配置されてもよい。
【００２１】
図２は、スピーカー装置１００の天面図である。図２に示されるように、スピーカー装置１００の筐体１０は、正面１１と、背部斜面１２と、背面１３と側面１４と、を有してなる。
【００２２】
正面１１の両端部から奥行き方向（図２の紙面上方向）に向かって、左右の側面１４が連なっている。これら側面１４のそれぞれの後端部から斜め後方（図２の紙面右斜め方向と左斜め方向）に向かって背部斜面１２が連なっている。背部斜面１２の端部同士は背面１３によりつながっている。以上の各面を備えるスピーカー装置１００の外形は、天面視において矩形の後側角部を切除して傾斜面にした形の変形６角形である。なお、スピーカー装置１００は、後述するように、スピーカーユニット１とパッシブラジエーター２が所定の関係を満たすように配置できればよい。したがって、外形は上記に限るものではない。例えば、背部斜面１２の後端部同士をつなげて背面１３を除いた形状（天面視形状が五角形状）であってもよい。
【００２３】
背部斜面１２は、背面１３に連なっている端部と側面１４に連なっている端部がある。背部斜面１２の背面１３側端部と側面１４側端部の正面１１からの距離を比較すると、背面１３側端部の方が側面１４側端部よりも遠い。すなわち、背部斜面１２は、側面１４側他端部から背面１３側端部に向かって、筐体１０の奥行き方向に傾斜している。筐体１０は２つの背部斜面１２を備えていて、一方の背部斜面１２に第１パッシブラジエーター２１が配置されている。また、他方の背部斜面１２には第２パッシブラジエーター２２が配置されている。以上から明らかなように、スピーカー装置１００は、第１パッシブラジエーター２１と第２パッシブラジエーター２２が、スピーカーユニット１に対して、筐体１０の奥行方向において傾斜している。
【００２４】
筐体１０の背面１３には、端子３が配置されている。第１パッシブラジエーター２１と、第２パッシブラジエーター２２と、端子３の詳細については後述する。
【００２５】
図３は、スピーカー装置１００の背面図である。図３に示されるように、左右の背部斜面１２にはそれぞれ、開口部が形成されている。右側（図３において左側）の背部斜面１２の開口部には、第１パッシブラジエーター２１が固定されている。左側（図３において右側）の背部斜面１２の開口部には、第２パッシブラジエーター２２が固定されている。第１パッシブラジエーター２１と第２パッシブラジエーター２２は、筐体１０の高さ方向の位置が同一になるように配置されている。第１パッシブラジエーター２１と第２パッシブラジエーター２２によってパッシブラジエーター２が構成されている。
【００２６】
端子３は、スピーカーユニット１が内蔵する増幅器（アンプ）への電源を供給する電源端子と、音楽プレーヤーなどから出力される信号をスピーカーユニット１に入力する信号端子と、を有してなる。図３に示されるように端子３は、２つの端子から構成されている。例えば、一方の端子は電源線（ＨＯＴ／ＧＮＤの２本）が接続される電源端子であって、他方の端子は信号線（ＨＯＴ／ＧＮＤの２本）が接続される信号端子である。
【００２７】
本実施例に係るスピーカー装置１００は、端子３が筐体１０の背面１３の下端近傍に配置されているが、端子３の位置はこれに限るものではない。端子３には、電源線と信号線が接続されるので、使用時において電源線や信号線が邪魔にならければ、他の位置でもよい。なお、スピーカーユニット１にパッシブスピーカーを用いる場合は、端子３は信号端子のみで構成される。
【００２８】
図３に例示したパッシブラジエーター２の振動板は、平面振動板である。また、パッシブラジエーター２の振動板の外形は楕円形である。しかし、パッシブラジエーター２の振動板の形状等は、これに限るものではない。
【００２９】
第１パッシブラジエーター２１の振動板と第２パッシブラジエーター２２の振動板は、背部斜面１２の向きに沿っているので、筐体１０の外側に向いている。第１パッシブラジエーター２１の振動板の中心軸と第２パッシブラジエーター２２の振動板の中心軸は、共通の（同一の）面上にある。しかも、第１パッシブラジエーター２１の振動板と第２パッシブラジエーター２２の振動板は、互いに正対していない。
【００３０】
図４は、スピーカー装置１００の側面図である。図４（ａ）はスピーカー装置１００の左側面図である。図４（ｂ）はスピーカー装置１００の右側面図である。図４に示されるように、正面１１は、底面（図示しない）に対して後方に傾斜している。背面１３は、正面１１と平行である。すなわち、背面１３も底面に対して後方に傾斜している。すなわち、スピーカー装置１００の側面視の形状は、台形状であって、正面１１から背面１３にかけて高さが低くなっている。
【００３１】
第１パッシブラジエーター２１及び第２パッシブラジエーター２２は、背部斜面１２の高さ方向の中央よりもやや上寄りに、中心軸がくるように固定されている。
【００３２】
スピーカーユニット１の中心線と第１パッシブラジエーター２１と第２パッシブラジエーター２２の中心線は、同一の平面上にある。スピーカー装置１００を水平面上に設置したとき、スピーカーユニット１の中心線と第１パッシブラジエーター２１と第２パッシブラジエーター２２の中心線を含む平面は、水平面に対して傾斜する。
【００３３】
次に、スピーカーユニット１とパッシブラジエーター２の配置関係について、図５及び図６を用いて説明する。図５は、図１におけるＢ−Ｂ線断面図である。図５に示されるように、正面１１に直交する軸であって、スピーカーユニット１の中心を通過する軸（スピーカーユニット１の中心軸）を含む左右方向の面の上に、第２パッシブラジエーター２２の中心軸が位置するように配置されている。言い換えると、スピーカーユニット１の中心軸を含む面上に第２パッシブラジエーター２２の中心がある。
【００３４】
ここで、「中心軸」とは、スピーカーユニット１の振動板およびパッシブラジエーター２の振動板のそれぞれの重心を通る軸をいう。あるいは、「中心軸」とは、スピーカーユニット１の駆動部（振動板やボイスコイル、ダンパー、エッジなど）とパッシブラジエーター２の駆動部（振動板、エッジなど）のそれぞれの重心を通る軸をいう。
【００３５】
図５では図示されていない第１パッシブラジエーター２１は、第２パッシブラジエーター２２と高さ方向の位置が同じになるように配置されている。したがって、スピーカーユニット１の中心軸を含む左右方向の面の上に第１パッシブラジエーター２１の中心軸が位置するように配置されている。言い換えると、スピーカーユニット１の中心軸を含む面上に第２パッシブラジエーター２２の中心がある。
【００３６】
すなわち、スピーカーユニット１の中心軸と、第１パッシブラジエーター２１の中心軸と、第２パッシブラジエーター２２の中心軸は、同一の平面上に存在するように、スピーカーユニット１とパッシブラジエーター２は、配置されている。
【００３７】
図６は、図４におけるＡ−Ａ線断面図である。図６に示されるように、スピーカー装置１００は、正面１１を構成するバッフル板の裏面側にスピーカーユニット１のフレームが固定されている。また、一方の背部斜面１２の裏側に第１パッシブラジエーター２１のフレームが固定され、他方の背部斜面１２の裏側に第２パッシブラジエーター２２のフレームが、それぞれ固定されている。
【００３８】
背部斜面１２は、奥行き方向において、正面１１に対して平行ではなく、傾斜している。したがって、スピーカーユニット１側から奥行き方向を見ると、第１パッシブラジエーター２１と第２パッシブラジエーター２２は、ぞれぞれ、スピーカーユニット１に対して奥行き方向に向かって傾斜している。なお、第１パッシブラジエーター２１と第２パッシブラジエーター２２の傾斜方向は、それぞれ、筐体１０の外側斜め方向である。
【００３９】
スピーカーユニット１の振動板は、入力される電気信号により生ずる駆動力に応じて駆動されて振動する。スピーカーユニット１の振動板が駆動される方向は、スピーカー装置１００の前後方向（図６の紙面左右方向）である。図６に示されるように、スピーカーユニット１が備える振動板の振動方向をＸ方向とする。また、Ｘ方向と直交する方向であって、水平面と平行する方向をＹ方向とする。
【００４０】
このスピーカーユニット１の動作により生ずるエネルギーをＰａとする。すなわち、エネルギーＰａが向かう方向は、筐体１０の前後方向（紙面左右方向）に相当するＸ方向である。
【００４１】
第１パッシブラジエーター２１と第２パッシブラジエーター２２のそれぞれの振動板は、このＰａの影響を受けて振動する。第１パッシブラジエーター２１と第２パッシブラジエーター２２の振動板の振動方向は、スピーカーユニット１から見たときの斜め外側方向である。言い換えると、振動板は、Ｘ方向とＹ方向とを含む面上に存在する方向に振動し、その振動方向は、Ｘ方向と交差する方向である。
【００４２】
第１パッシブラジエーター２１の振動板を振動させるエネルギーを「Ｐｂ１」とする。Ｐｂ１は、Ｘ方向とＹ方向とを含む面上に存在し、かつ、Ｘ方向と交差する方向（斜め外側方向）に第１パッシブラジエーター２１の振動板を振動させる。また、第２パッシブラジエーター２２の振動板を振動させるエネルギーを「Ｐｂ２」とする。Ｐｂ２は、Ｘ方向とＹ方向とを含む面（ＸＹ平面）上に存在し、かつ、Ｘ方向と交差する方向（斜め外側方向）に第２パッシブラジエーター２２の振動板を振動させる。なお、図５に示すように、ＰａとＰｂ２は、スピーカーユニット１の中心軸によってＸＹ平面上で線対称になっている。
【００４３】
Ｐｂ１とＰｂ２は、それぞれ、Ｘ方向とＹ方向の二つの方向のエネルギー成分の合成エネルギーである。図６においてＰｂ１とＰｂ２で示されたエネルギー成分に含まれるエネルギー成分の一つは、スピーカーユニット１の振動板の振動方向に対し、平行方向のエネルギー成分である。言い換えると、Ｐｂ１とＰｂ１で示されたエネルギー成分の一つは、スピーカーユニット１から見て前後方向（図６の紙面左右方向）のエネルギー成分すなわちＸ方向のエネルギー成分である。このエネルギー成分の方向は、スピーカーユニット１の中心軸との平行方向である。
【００４４】
Ｐｂ１ａとＰｂ２で示されたエネルギー成分に含まれるエネルギー成分のもう一つは、スピーカーユニット１の振動板の振動方向に対して、直交する方向のエネルギー成分である。言い換えると、Ｐｂ１とＰｂ２に含まれるエネルギー成分のもう一つは、スピーカーユニット１から見て左右方向（図６の紙面上下方向）のエネルギー成分すなわちＹ方向のエネルギー成分である。このエネルギー成分の方向は、スピーカーユニット１の中心軸と交差する方向である。
【００４５】
図６では、「Ｐａ」、「Ｐｂ１」、「Ｐｂ２」をそれぞれ、矢印線で表している。なお、図６に示されるように、スピーカーユニット１の中心軸線とＰｂ１が交差する角度を「θ１」とする。また、スピーカーユニット１の中心軸線とＰｂ２が交差する角度を「θ２」とする。
【００４６】
θ１は、第１パッシブラジエーター２１の振動板の振動方向の中心線（第１中心線）とスピーカーユニット１の中心軸線とを含む平面上において、第１中心線と中心軸線が形成する角度である。
【００４７】
θ２は、第２パッシブラジエーター２２の振動板の振動方向の中心線（第２中心線）とスピーカーユニット１の中心軸線とを含む平面上において、第２中心線と中心軸線が形成する角度である。
【００４８】
Ｐｂ１とＰｂ２に含まれるエネルギー成分のうち、スピーカーユニット１から見て前後方向に向かうエネルギー成分は、スピーカーユニット１の振動板のＰａと対向する（相反する）方向でのエネルギー成分である。このエネルギー成分の一部によって、スピーカーユニット１で不要振動が生じたときに、そのエネルギーであるＰａを抑制することになる。このように、スピーカー装置１００は、スピーカー装置１００の不要振動を第１パッシブラジエーター２１と第２パッシブラジエーター２２の上記エネルギー成分により、抑制することができる。
【００４９】
また、Ｐｂ１とＰｂ２に含まれるエネルギーのうち、スピーカーユニット１の中心軸と直交方向のエネルギー成分は、互いに相反する方向に向いている。したがって、第１パッシブラジエーター２１と第２パッシブラジエーター２２のそれぞれの振動板により生ずる不要振動は、これらのエネルギー成分により互いに相殺されて抑制される。
【００５０】
上記の効果を発揮させるには、スピーカー装置１００において、下記の条件式を満たすようにスピーカーユニット１とパッシブラジエーター２を配置させればよい。
【００５１】
（条件式）
Ｐａ＝Ｐｂ１・ｃｏｓ（θ１）＋Ｐｂ２・ｃｏｓ（θ２）
Ｐｂ１・ｓｉｎ（θ１）＝Ｐｂ２・ｓｉｎ（θ２）
【００５２】
上記の条件式を満たすことで、スピーカー装置１００は、パッシブラジエーター２の振動板の相互の作用によって、パッシブラジエーター２の各振動板の不要振動を抑制することができる。言い換えると、スピーカー装置１００は、第１パッシブラジエーター２１の中心軸と第２パッシブラジエーター２２の中心軸を同軸上において、互いの振動板を正対させて配置させずとも、パッシブラジエーター２の振動板の不要振動を抑制できる。
【００５３】
また、第１パッシブラジエーター２１と第２パッシブラジエーター２２によって、スピーカーユニット１の不要振動も抑制することができる。すなわち、スピーカー装置１００は、第１パッシブラジエーター２１と第２パッシブラジエーター２２の作用によって、スピーカー装置１００全体の不要振動を抑制することができる。
【００５４】
なお、スピーカー装置１００は、背部斜面１２が天板と底板に連なっていて、パッシブラジエーター２がスピーカーユニット１からみて上下外側方向に向かって配置されていてもよい。
【００５５】
また、スピーカー装置１００は、パッシブラジエーター２の数を二つに限るものではない。スピーカー装置１００がパッシブラジエーター２を三つ、四つ・・・備えてもよい。例えば、スピーカー装置１００がパッシブラジエーター２を三つ備える場合、背面１３の幅寸法を大きくして、背面１３の一部に第３パッシブラジエーター（不図示）を配置すればよい。この場合、第１パッシブラジエーター２１と第２パッシブラジエーター２２は、上記の実施例よりも小型のものでよい。
【００５６】
パッシブラジエーター２を三つ以上用いてスピーカー装置１００を構成するには、スピーカーユニット１の正面方向とは異なる方向に複数のパッシブラジエーター２を配置し、かつ、それぞれの角度や重量を最適なものにすればよい。パッシブラジエーター２を三つ以上のもので構成すれば、パッシブラジエーター２のそれぞれを小型のものにしても有効振動面積を大きくすることができ、意匠面の自由度も上がる。この場合、第１パッシブラジエーター２１と第２パッシブラジエーター２２の振動板は小さくしても、第３パッシブラジエーターによって、スピーカーユニット１による不要振動は抑制することができる。
【００５７】
以上説明したスピーカー装置１００は、複数のパッシブラジエーター２を備えることで、低音域の再現性や音質の向上を図りつつ、パッシブラジエーター２において生ずる不要振動を抑制し、さらに、全体の不要振動も抑制する。この効果を得るために、筐体１０の重量を増したり、強度を高めたり、筐体１０の構造に工夫を凝らす必要はないから、筐体１０の意匠性に自由度がある。
【００５８】
また、スピーカー装置１００は、各振動板が配置されていている筐体１０の面が互いに平行関係ではないので、定在波は発生しにくい構造になっている。すなわち、スピーカー装置１００は、定在波の発生による悪影響を受けることはなく、スピーカーユニット１における、音の再現性を向上させることができる。
【００５９】
次に、本発明に係るスピーカー装置の別の実施例について、図面を参照しながら説明する。既に説明をした実施例と同様の構成については、同じ符号を付し、詳細な説明は省略する。図７は、本実施例に係るオーディオスピーカー１０１の天面図である。
【００６０】
図７に示されるように、オーディオスピーカー１０１は、筐体１０を構成する背部斜面１２の後方に追加壁面１５を備える。追加壁面１５は、背部斜面１２との間に、所定の寸法の間隙を形成している。この間隙は、背面１３側の隙間によって外気と連通している。
【００６１】
追加壁面１５は、背部斜面１２に配置されている第１パッシブラジエーター２１と第２パッシブラジエーター２２に対する音響抵抗として作用する。第１パッシブラジエーター２１と第２パッシブラジエーター２２の振動板が駆動されることで生ずる音波は、追加壁面１５と背部斜面１２との間を通り、背部斜面１２と背面１３との間隙から出力される。この追加壁面１５を設けることで、パッシブラジエーター２の過剰な振幅を抑制することができ、いわゆる空振り現状を防止することができる。これによって、低音域の音質をさらに向上させることができる。
【符号の説明】
【００６２】
１      スピーカーユニット
２      パッシブラジエーター
１０    筐体
２１    第１パッシブラジエーター
２２    第２パッシブラジエーター
１００  スピーカー装置
【図１】
2015204539.tif 000003
【図２】
2015204539.tif 000004
【図３】
2015204539.tif 000005
【図４】
2015204539.tif 000006
【図５】
2015204539.tif 000007
【図６】
2015204539.tif 000008
【図７】
2015204539.tif 000009